(57)【要約】【課題】発信者と当該発信者からの着呼が発生した時刻によって、応答メッセージ選択や、利用者の強制呼び出し等の機能を制御することが可能な留守番機能を有する携帯電話等の通信端末を得る。【解決手段】発信側端末の発信者番号、認証情報を予め記憶する記憶部と、前記発信側端末の発信者番号を含む呼設定信号を受信する受信部と、前記呼設定信号に含まれる前記発信者番号が前記記憶部に記憶された前記発信者番号と一致し、かつ、前記認証情報に基づく認証確認がなされたことに応じて特定機能を設定する制御部とを備えている。【選択図】図１
2006148945.tif 000002
【特許請求の範囲】
【請求項１】
発信側端末の発信者番号、認証情報を予め記憶する記憶部と、
前記発信側端末の発信者番号を含む呼設定信号を受信する受信部と、
前記呼設定信号に含まれる前記発信者番号が前記記憶部に記憶された前記発信者番号と一致し、かつ、前記認証情報に基づく認証確認がなされたことに応じて特定機能を設定する制御部と
を備えたことを特徴とする通信端末。
【請求項２】
認証情報は着信応答後に受信される特定機能の設定用番号であることを特徴とする請求項１記載の通信端末。
【請求項３】
第１の認証情報及び第２の認証情報を予め記憶し、前記第１の認証情報が発信側端末の発信者番号である記憶部と、
前記発信側端末の発信者番号を含む呼設定信号を受信する受信部と、
前記呼設定信号に含まれる前記発信者番号が前記記憶部に記憶された前記発信者番号と一致し、かつ、前記第２の認証情報に基づく認証確認がなされたことに応じて特定機能を設定する制御部と
を備えたことを特徴とする通信端末。
【請求項４】
第２の認証情報は着信応答後に受信される特定機能の設定用番号であることを特徴とする請求項３記載の通信端末。
【請求項５】
特定機能はダイヤルロック機能であることを特徴とする請求項１又は請求項３記載の通信端末。
【請求項６】
ダイヤルロック機能設定中はメモリダイヤルの表示を不可とすることを特徴とする請求項５記載の通信端末。
【請求項７】
特定機能は伝言メモ機能であることを特徴とする請求項１又は請求項３記載の通信端末。
【請求項８】
予め遠隔操作を許可する発信者番号を記憶する記憶部と、
発信側端末の発信者番号を含む呼設定信号を受信する受信部と、
前記呼設定信号に含まれる発信者番号が前記記憶部に記憶された発信者番号と一致し、かつ当該発信者番号からの着信を用いて、特定機能を設定するための所定の遠隔操作がなされた場合に、当該特定機能を設定する制御部と
を備えたことを特徴とする通信端末。
【請求項９】
特定機能を設定するための所定の遠隔操作は、着信応答後になされる発信者による設定用番号の入力であることを特徴とする請求項８記載の通信端末。
【請求項１０】
特定機能は、ダイヤルロック機能または伝言メモ機能であることを特徴とする請求項８記載の通信端末。
【発明の詳細な説明】
【技術分野】
【０００１】
この発明は、発信者番号と時刻に応じて応答メッセージを切り替える留守番機能を有し、また、発信者番号を用いて他の電話機から遠隔操作を行うことができる携帯電話に関するものである。
【背景技術】
【０００２】
従来例として、発信者番号に応じて応答メッセージを切り替える留守番機能を有した移動通信端末がある。発信側端末の発呼に伴う着信側端末への着呼信号には、発信側端末の発信者番号、着信側端末を制御する制御情報などが付加されており、この発信者番号、制御情報に基づいて、着信側端末は留守番モードの切り替えや応答メッセージの切り替えを行う。応答メッセージは図７に示すように相手対象別のメッセージを自作して事前に登録されたもので、各メッセージにはメッセージ番号が割りあてられている（例えば、特許文献１参照）。
【０００３】
また、紛失した携帯電話にリモート操作信号を入力することにより、その携帯電話が通信できる相手先の電話番号を固定するとともに、メモリーに関する操作の禁止を行い、個人情報の漏洩と携帯電話の不正使用を防止する「移動無線通信装置」（例えば、特許文献２参照）や、別の電話機を使用して基地局に（紛失した携帯電話の）不正使用を禁止する強制ロック登録を行い、不正使用による発信を防止する「携帯電話」がある（例えば、特許文献３参照）。
【０００４】
【特許文献１】特開平１０−６６１４５号公報
【特許文献２】特開平１０−１２６４９５号公報
【特許文献３】特開平９−１８２１５８号公報
【発明の開示】
【発明が解決しようとする課題】
【０００５】
携帯電話は時間、場所等の制約を受けずにコミュニケーションを図ることができるという利便性が評価され急速に普及している。しかし、携帯電話を実際に「いつでも、どこでも」利用するには様々な制約があるので、電話に出られないとき、利用者は留守番機能を活用することになる。特開平１０−６６１４５号公報に記載された従来の移動通信端末は、発信者番号に応じて応答メッセージを切り替える留守番機能を備えている。しかし、特定の発信者であっても時間に応じて応答メッセージを切り替えたい場合には従来の移動通信端末では対応できない。
【０００６】
また、ある特定の発信者からの電話には出る必要があるが、その他の発信者からの電話には出たくないという状況を想定したとき、その要求を満たす留守番機能は、事前に登録した発信者から通話があったときには、留守番機能が設定されていても、利用者を呼び出す強制呼び出し機能を備えている必要がある。
【０００７】
また、従来の携帯電話は、遠隔操作により紛失した携帯電話に電話をかけてダイアルロックをかけるのに暗証番号を入力する必要があった。しかし、暗証番号を忘れると必要なときにダイアルロックを設定できないという問題がある。
【０００８】
本発明は、発信者と当該発信者からの着呼が発生した時刻によって、応答メッセージ選択や、利用者の強制呼び出し等の機能を制御することが可能な留守番機能を有する携帯電話等の移動通信端末を提供することを第一の目的とする。また、上記機能に加えて、ダイアルロック及び伝言メモ設定操作等の遠隔操作を許可する端末番号（発信者番号）をあらかじめ指定しておくことにより、暗証番号を入力せずに遠隔操作を実行することができる携帯電話を提供することを第二の目的とする。
【課題を解決するための手段】
【０００９】
本発明に係る移動通信端末は、発信側端末の発信者番号、認証情報を予め記憶する記憶部と、前記発信側端末の発信者番号を含む呼設定信号を受信する受信部と、前記呼設定信号に含まれる前記発信者番号が前記記憶部に記憶された前記発信者番号と一致し、かつ、前記認証情報に基づく認証確認がなされたことに応じて特定機能を設定する制御部とを備えたものである。
【発明の効果】
【００１０】
本発明に係る移動通信端末によれば、発信側端末の発信者番号、認証情報を予め記憶する記憶部と、前記発信側端末の発信者番号を含む呼設定信号を受信する受信部と、前記呼設定信号に含まれる前記発信者番号が前記記憶部に記憶された前記発信者番号と一致し、かつ、前記認証情報に基づく認証確認がなされたことに応じて特定機能を設定する制御部と備えたので、あらかじめ指定した発信者に対応して端末の機能を設定することができるという効果がある。
【発明を実施するための最良の形態】
【００１１】
実施の形態１．
図１はこの発明の実施の形態１に係る移動通信端末の構成を示すブロック図である。図２は呼設定メッセージを示す説明図、図３は留守番機能を制御するフローチャートを示す図、図４は発信者番号登録テーブルを示す説明図である。
【００１２】
図１に示す移動通信端末において、１は変調波を送受信するアンテナ、２は変調波の周波数を変換する周波数変換部（ＲＦ／ＩＦ部）、３は、ベースバンド信号に応じて搬送波を変調あるいはアンテナ１が受信した変調波からベースバンド信号を取り出す復調をおこなう変復調部、４はベースバンド信号にＴＤＭＡ信号処理を行うデジタル信号処理回路、５はベースバンド信号処理を行う音声信号処理回路、６は制御部、７は時刻計数手段である時計回路を含む時間監視部、８はメモリ、９はデータ入力を行うキーボード、１０はスピーカ、１１はマイク、１２はリモート操作制御部である。
【００１３】
メモリ８は発信者番号記憶手段、応答メッセージ選択手段の機能を果たすものであり、図４に示すような発信者番号、発信者名、制御コード（時間切り換え、強制呼び出し、時間帯１または２に選択する応答メッセージ番号）が登録されている。また、制御手段９は、メモリ８を参照して、発信者番号より発信側端末を認識する発信側端末認識手段、発信者番号より発信者を認識する発信者識別手段、発信者に応じて応答メッセージを選択する応答メッセージ選択手段、これらの機能を制御する端末制御手段を備えている。
【００１４】
図２は、発信先の移動通信端末から送信され、着信側の移動通信端末のアンテナが受信する受信信号を構成する呼設定メッセージを示す説明図である。図２に示す呼設定メッセージが基地局から着信先の移動通信端末に送られることにより着呼が発生する。呼設定メッセージはプロトコル識別子、呼出番号を示す呼番号、発信者番号を示す発番号、発信者サブアドレスを示す発サブアドレスから構成されている。
【００１５】
実施の形態１に係る移動通信端末の留守番機能は、（１）発信者に応じて応答メッセージを選択する「応答メッセージ選択機能」と、（２）あらかじめ指定した発信者から着呼が発生すれば、利用者を呼び出す「強制呼び出し機能」とを時間に基づいて制御するものである。以下、図３に基づいて説明する。
【００１６】
ｓ３０１にて待ち受け状態にある携帯電話（以下、当該端末と称す）に、相手方からの着信が発生すると（ｓ３０２）、所定時間経過した後（ｓ３０３）、着信応答（ｓ３０４）する。その後、図４に示す発信者番号登録テーブルを参照する（ｓ３０５）。呼設定メッセージから読み出された発ＩＤが発信者番号登録テーブルに登録されていることが確認されれば（ｓ３０６）、強制呼び出し設定がなされているか確認する処理を行う（ｓ３０７）。強制呼び出し設定がなされていれば、音声通話がなされ（ｓ３０８）、通話が終了すると（ｓ３０９）、待ち受け状態（ｓ３１０）に戻る。
【００１７】
呼設定メッセージから読み出された発ＩＤが発信者番号登録テーブルに登録されていないことが確認されれば（ｓ３０６）、ｓ３１７にて固定メッセージが網側へ送出され、送出された固定メッセージを受けて、相手方が残したメッセージを録音する処理（ｓ３１４）を行った後、ｓ３０９以降の処理が実行される。
【００１８】
また、発ＩＤが発信者番号登録テーブルに登録されているものの、強制呼び出し設定がなされていない場合、着信が発生した時間と発信者に応じてメッセージを選択する処理がｓ３１１以降で実行される。ｓ３１１にて発信者番号登録テーブルを参照し、当該発信者に対して時間切り換え設定がなされていることが確認されれば、当該発信者からの着信があった時間を確認する処理を行う（ｓ３１２）。着信が発生した時間は、図１の時間監視部７に含まれる時刻計数回路により検出される。当該発信者からの着信が発生した時間が時間帯１に含まれる時間であれば、発信者及び時間帯１に指定された応答メッセージが選択され（ｓ３１３）、発信者のメッセージを録音する処理を行う（ｓ３１４）。
【００１９】
当該発信者からの着信が発生した時間が時間帯１に含まれる時間でなければ、発信者及び時間帯２に指定された応答メッセージが選択され（ｓ３１５）、発信者のメッセージを録音する処理を行う（ｓ３１４）。また、時間切り換え設定がなされていない発信者からの着信であれば、発信者別に指定されたメッセージが選択されて網側へ送信され（ｓ３１６）、発信者のメッセージを録音する処理を行う（ｓ３１４）。以降の処理はｓ３０９にて実行される。
【００２０】
以上説明したように、実施の形態１に係る移動通信端末は、発信者に応じて応答メッセージを選択する「応答メッセージ選択機能」と、あらかじめ指定した発信者から着信があれば、端末利用者を呼び出す「強制呼び出し機能」とを備えたものであって、さらに、これらの機能を時間に基づいて制御するものである。従って、端末利用者は、電話してきそうな発信者を想定して、発信者に対応して端末の機能を設定できる。
【００２１】
また、実施の形態１に係る移動通信端末によれば、着呼信号に含まれる発信者番号に基づいて発信者別に応答メッセージを選択するとともに、時刻に応じて応答メッセージが自動的に切り替えられる留守番機能を備えたので、発信者に対してよりきめ細かな応答メッセージを用意することが可能になり、留守番機能が充実するという効果がある。
【００２２】
また、実施の形態１に係る移動通信端末によれば、着呼信号に含まれる発信者番号に応じてオフフック前に発信者を認識し、留守番機能が設定された状態であっても、事前に登録した特定の発信者からの通話があったときには携帯電話利用者を呼び出す強制呼び出し機能を備えたので、電話をかけてきた発信者のうち、電話に出なければならない人とそうでない人とを区別することができる。
【００２３】
実施の形態２．
図５は実施の形態２に係る移動通信端末の遠隔操作機能を制御するフローチャートを示す図である。ｓ５０１にて待ち受け状態にある携帯電話（以下、当該端末と称す）に、相手方からの着信が発生すると（ｓ５０２）、呼設定メッセージから読み出された発ＩＤが発信者番号登録テーブルに登録されており、かつ遠隔操作許可がなされていることが確認されれば（ｓ５０３）、所定時間が経過した後（ｓ５０４）、着信応答（ｓ５０５）する。
【００２４】
その後、発信者によってダイヤルロック設定用番号が入力されると（ｓ５０６）、番号を確認する処理を行い（ｓ５０７）、一致すればダイアルロックをかける処理が行われる（ｓ５０８）。ダイアルロックがかけられると通話を終了させ（ｓ５０９）、待ち受け状態に戻る。一方、ダイアルロック設定用番号が一致しなかったとき、ｓ５１１にて、不一致回数のカウントが行われ、不一致回数が一定の数を超えると、ｓ５０６以前の処理にもどる。
【００２５】
以上説明したように、実施の形態２に係る移動通信端末は、ダイアルロックを設定する際、暗証番号の入力を必要としないので、暗証番号を忘れた場合でも必要なときにダイアルロックをかけることができる。また、ダイアルロック等遠隔操作を許可する端末を、自宅の電話などに限定しておけば、第三者によってダイアルロックをかけられてしまう問題も生じない。
【００２６】
実施の形態３．
図６は実施の形態３に係る移動通信端末の伝言メモ設定機能を制御するフローチャートを示す図である。ｓ６０１にて待ち受け状態にある携帯電話（以下、当該端末と称す）に、相手方からの着信が発生すると（ｓ６０２）、呼設定メッセージから読み出された発ＩＤが発信者番号登録テーブルに登録されており、かつ遠隔操作許可がなされていることが確認されれば（ｓ６０３）、所定時間が経過した後（ｓ６０４）、着信応答（ｓ６０５）する。
【００２７】
その後、発信者によって伝言メモ設定用番号が入力されると（ｓ６０６）、番号を確認する処理を行い（ｓ６０７）、一致すれば伝言メモ設定をかける処理が行われる（ｓ６０８）。伝言メモが設定されると通話を終了させ（ｓ６０９）、待ち受け状態に戻る（ｓ６１０）。一方、伝言メモ設定用番号が一致しなかったとき、ｓ６１１にて、不一致回数のカウントが行われ、不一致回数が一定の数を超えると（ｓ６１２）、ｓ６０６以前の処理にもどる。
【００２８】
以上説明したように、実施の形態３に係る移動通信端末は、伝言メモを設定する際、暗証番号の入力を必要としないので、暗証番号を忘れた場合でも必要なときに伝言メモを設定できる。
【００２９】
また、実施の形態２および実施の形態３に係る移動通信端末によれば、発信者の発信者番号と、当該端末にあらかじめ登録されている、遠隔操作許可コードが付されている発信者番号が一致すれば、ダイアルロック設定処理や伝言メモ設定処理等の遠隔操作の実行を許可するもので、あらかじめ登録された端末から電話することにより、暗証番号なしで遠隔操作を実行させることができる。
【図面の簡単な説明】
【００３０】
【図１】本発明に係る移動通信端末の構成を示すブロック図である。
【図２】呼設定メッセージを示す説明図である。
【図３】留守番機能を制御するフローチャートを示す図である。
【図４】発信者番号登録テーブルを示す説明図である。
【図５】実施の形態２に係る移動通信端末の遠隔操作機能を制御するフローチャートを示す図である。
【図６】実施の形態３に係る移動通信端末の遠隔操作機能を制御するフローチャートを示す図である。
【図７】従来の移動通信端末の留守番機能制御を説明するフローチャートを示す図である。
【符号の説明】
【００３１】
１  アンテナ、２  周波数変換部、３  変復調部、４  ＴＤＭＡ処理部、５  音声信号処理回路、６  制御部、７  時間監視部（時刻計数回路）、８  メモリ、９  キーボード、１０  スピーカ、１１  マイク、１２  リモート操作制御部。
【図１】
2006148945.tif 000003
【図２】
2006148945.tif 000004
【図３】
2006148945.tif 000005
【図４】
2006148945.tif 000006
【図５】
2006148945.tif 000007
【図６】
2006148945.tif 000008
【図７】
2006148945.tif 000009